(57)【要約】【課題】  受験先機関が受験者の出身校が発行する証明書要求している場合でも、証明書を、第三者を経由することなく出身校から直接出願先機関へ送信できる受験情報管理方法を、提供する。【解決手段】  出身校システム１の学生情報ＤＢ１３及び内申書ＤＢ１５には、受験者の個人情報及び内申書情報が格納されている。出身校システムサーバ１１は、ネットワークＮを通じて受験者端末５から受信した要求に応じて、当該受験者端末５を操作している受験者の個人情報及び内申書情報に基づいて、夫々、出願書データ及び証明書データを生成し、ネットワークＮを通じて受験先校システムサーバ３１へ送信した後に、ＡＣＫを待つ。受験先校システムサーバ３１は、出願書データ及び証明書データの双方を受信すると、出身校システムサーバ１１へＡＣＫを返信する。このＡＣＫを受信すると、出身校システムサーバ１１は、決済機関システムサーバ４１へ検定料払込情報を送信する。【選択図】  図１
2005284761.tif 000002
【特許請求の範囲】
【請求項１】
試験を主催する受験先機関が運営する受験先機関システムと、前記試験を受験する受験者が使用する端末と、前記受験者の前記受験先機関に対する出願料支払を代行する決済機関が運営する決済機関システムと、前記受験者の個人情報を記憶した個人情報記憶手段，及び前記受験者に関する証明対象情報を記憶した証明対象情報記憶手段を備えた出願代行システムとを、相互に接続してなるネットワークにおいて、
前記出願代行システムは、前記受験先機関に対する出願代行を要求するメッセージをネットワーク経由で前記端末から受信すると、前記個人情報記憶手段から前記受験者の個人情報を読み出すとともに、前記証明対象情報記憶手段から前記受験者の証明対象情報を読み出し、読み出した個人情報に基づいて出願書データを生成するとともに、読み出した証明対象情報に基づいて証明書データを生成し、生成した出願書データ及び証明書データをネットワーク経由で前記受験先機関システムへ送信した後に、この受験先機関システムからの応答を待ち、
前記の受験先機関システムは、前記出願代行システムから前記出願書データ及び証明書データを受信すると、前記応答をネットワーク経由で前記出願代行システムへ送信し、
前記出願代行システムは、前記受験先機関からの応答を受信すると、前記受験者の前記受験先機関に対する出願料支払の代行を要求するメッセージを、ネットワーク経由で前記決済機関システムへ送信する
ことを特徴とする受験情報管理方法。
【請求項２】
試験を主催する受験先機関が運営する受験先機関システムと、前記試験を受験する受験者が使用する端末と、前記受験者の前記受験先機関に対する出願料支払を代行する決済機関が運営する決済機関システムと、前記受験者の個人情報を記憶した個人情報記憶手段を備えた出願代行システムと、前記受験者に関する証明対象情報を記憶した証明対象情報記憶手段を備えた証明書発行システムとを、相互に接続してなるネットワークにおいて、
前記出願代行システムは、前記受験先機関に対する出願代行を要求するメッセージをネットワーク経由で前記端末から受信すると、前記受験者についての証明書の前記受験先システムへの送信を依頼するメッセージをネットワーク経由で前記証明書発行システムへ送信するとともに、前記個人情報記憶手段から前記受験者の個人情報を読み出し、読み出した個人情報に基づいて出願書データを生成し、生成した出願書データをネットワーク経由で前記受験先機関システムへ送信した後に、この受験先機関システムからの応答を待ち、
前記証明書発行システムは、前記メッセージをネットワーク経由で前記出願代行システムから受信すると、前記証明対象情報記憶手段から前記受験者の証明対象情報を読み出し、読み出した証明対象情報に基づいて証明書データを生成し、生成した証明書データをネットワーク経由で前記受験先機関システムへ送信し、
前記の受験先機関システムは、前記出願代行システムから前記出願書データ受信するとともに前記証明書発行システムから証明書データを受信すると、前記応答をネットワーク経由で前記出願代行システムへ送信し、
前記出願代行システムは、前記受験先機関からの応答を受信すると、前記受験者の前記受験先機関に対する出願料支払の代行を要求するメッセージを、ネットワーク経由で前記決済機関システムへ送信する
ことを特徴とする受験情報管理方法。
【発明の詳細な説明】
【技術分野】
【０００１】
本発明は、受験先機関に対して、出願書とともに各種証明書をネットワークを通じて送信する受験情報管理方法に、関する。
【背景技術】
【０００２】
近年、ネットワーク利用の多様化に伴い、各種試験を実施する受験先機関（入学試験を実施する高校，大学，専門学校，大学院等の学校，各種資格試験を実施する国家や地方公共団体の機関等）に対して、ネットワークを通じたオンラインにて出願書を提出することが、認められつつある。
【０００３】
例えば、特許文献１（特開２００３−１０８７０３号）には、受験先学校の募集要項をオンライン公開するとともにオンラインで出願書受理を代行するサーバが、開示されている。
【０００４】
また、特許文献２（特開２００２−３１２４９８号）には、受験者の端末が大学の端末に対して出願処理をした後で、認証センターが高等学校端末から調査書を取得して大学端末へ送信するシステムが、記載されている。
【０００５】
また、特許文献３（特開２００２−５６１０８号）には、受験者からの出願手続き依頼を受けると、サーバが出願料金処理を行うとともに、高等学校端末から調査書を取得して、必要な受験データとともに調査書を大学端末へ送信するシステムが、記載されている。
【特許文献１】特開２００３−１０８７０３号
【特許文献２】特開２００２−３１２４９８号
【特許文献３】特開２００２−５６１０８号
【発明の開示】
【発明が解決しようとする課題】
【０００６】
しかしながら、特許文献１に記載されたシステムによると、出願先学校が出願書の他に出身校が発行する証明書（内申書）を要求している場合には、ユーザは、この証明書（内申書）を自ら出身校かた取得した上で、出願先学校に別途提出しなければならない。
【０００７】
また、特許文献２に記載されたシステムによると、出願先学校が出願書の他に出身校が発行する証明書を要求している場合にも対応できるが、受験者のプライバシー情報である調査書の内容が第三者である認証センターを経由している点で、プライバシー上の問題がある。しかも、この特許文献２のシステムでは、出願料納付については考慮されていないので、大学は、調査書の受信時点のみを基準としては、出願完了時点を確定することができない。
【０００８】
同様に、特許文献３に記載されたシステムによると、調査書の内容を第三者が運営するサーバを経由して大学端末へ送信される点で、プライバシー上の問題がある。また、この特許文献３のシステムでは、出願料金処理は、出願データ及び調査書の送信と並行に行われるので、大学は、出願データ及び調査書の受信時点のみを、若しくは、出願料金処理完了時点のみを基準としては、出願完了時点を確定することができない。
【０００９】
そこで、本発明は、受験先機関が出願書の他に受験者の出身校が発行する証明書（内申書，調査書，成績証明書，卒業証明書，等）を必須添付書類として要求している場合でも、証明書データを、第三者を経由することなく証明書を発行する機関から直接出願先機関へ送信できるとともに、出願先機関は出願料納付完了時点のみを基準として出願完了時点を確定することができる受験情報管理方法の提供を、課題とする。
【課題を解決するための手段】
【００１０】
上述した課題を解決するために案出された本発明による受験情報管理方法の第１の態様は、試験を主催する受験先機関が運営する受験先機関システムと、前記試験を受験する受験者が使用する端末と、前記受験者の前記受験先機関に対する出願料支払を代行する決済機関が運営する決済機関システムと、前記受験者の個人情報を記憶した個人情報記憶手段及び前記受験者に関する証明対象情報を記憶した証明対象情報記憶手段を備えた出願代行とを相互に接続してなるネットワークにおいて、前記出願代行システムは、前記受験先機関に対する出願代行を要求するメッセージをネットワーク経由で前記端末から受信すると、前記個人情報記憶手段から前記受験者の個人情報を読み出すとともに、前記証明対象情報記憶手段から前記受験者の証明対象情報を読み出し、読み出した個人情報に基づいて出願書データを生成するとともに、読み出した証明対象情報に基づいて証明書データを生成し、生成した出願書データ及び証明書データをネットワーク経由で前記受験先機関システムへ送信した後に、この受験先機関システムからの応答を待ち、前記の受験先機関システムは、前記出願代行システムから前記出願書データ及び証明書データを受信すると、前記応答をネットワーク経由で前記出願代行システムへ送信し、前記出願代行システムは、前記受験先機関からの応答を受信すると、前記受験者の前記受験先機関に対する出願料支払の代行を要求するメッセージを、ネットワーク経由で前記決済機関システムへ送信することを、特徴とする。
【００１１】
このように構成されると、出願先機関が上記試験の出願書の必須添付書類として所定の証明対象情報を含む証明書を要求している場合でも、この証明書の証明書データは、出願者の証明対象情報を記憶している証明対象情報記憶手段を備えた出願代行システムから、ネットワーク経由で、直接受験先機関システムへ送信される。従って、送信に際してこの証明書データを暗号化するか否かに拘わらず、この証明書データが第三者によって見られてしまう危険を低減することができる。しかも、受験先機関システムは、出願書データ及び証明書データの双方を受信しない限りは応答を出願代行システムへ送信せず、出願代行システムは、この応答を受信しない限りは受験者の受験先機関に対する出願料支払の代行を要求するメッセージを決済機関システムへ送信しない。従って、出願先機関は、この出願料支払完了の時点を確認するだけで、この時点のみを基準として、出願完了の時点を確定することができる。
【００１２】
また、上述した課題を解決するために案出された本発明による受験情報管理方法の第２の態様は、試験を主催する受験先機関が運営する受験先機関システムと、前記試験を受験する受験者が使用する端末と、前記受験者の前記受験先機関に対する出願料支払を代行する決済機関が運営する決済機関システムと、前記受験者の個人情報を記憶した個人情報記憶手段を備えた出願代行システムと、前記受験者に関する証明対象情報を記憶した証明対象情報記憶手段を備えた証明書発行システムとを、相互に接続してなるネットワークにおいて、前記出願代行システムは、前記受験先機関に対する出願代行を要求するメッセージをネットワーク経由で前記端末から受信すると、前記受験者についての証明書の前記受験先システムへの送信を依頼するメッセージをネットワーク経由で前記証明書発行システムへ送信するとともに、前記個人情報記憶手段から前記受験者の個人情報を読み出し、読み出した個人情報に基づいて出願書データを生成し、生成した出願書データをネットワーク経由で前記受験先機関システムへ送信した後に、この受験先機関システムからの応答を待ち、前記証明書発行システムは、前記メッセージをネットワーク経由で前記出願代行システムから受信すると、前記証明対象情報記憶手段から前記受験者の証明対象情報を読み出し、読み出した証明対象情報に基づいて証明書データを生成し、生成した証明書データをネットワーク経由で前記受験先機関システムへ送信し、前記の受験先機関システムは、前記出願代行システムから前記出願書データ受信するとともに前記証明書発行システムから証明書データを受信すると、前記応答をネットワーク経由で前記出願代行システムへ送信し、前記出願代行システムは、前記受験先機関からの応答を受信すると、前記受験者の前記受験先機関に対する出願料支払の代行を要求するメッセージをネットワーク経由で前記決済機関システムへ送信することを、特徴とする。
【００１３】
このように構成されると、出願先機関が上記試験の出願書の必須添付書類として所定の証明対象情報を含む証明書を要求しており、出願代行機関システムとは独立した証明書発行システムが出願者の証明対象情報を記憶している証明対象情報記憶手段を備えており且つ証明書データを生成する場合であっても、この証明書データは、この出願書発行システムから、出願代行システムを経由することなく、ネットワーク経由で、直接受験先機関システムへ送信される。従って、送信に際してこの証明書データを暗号化するか否かに拘わらず、この証明書データが第三者や出願代行システムの運営者によって見られてしまう危険を低減することができる。しかも、受験先機関システムは、出願書データ及び証明書データの双方を受信しない限りは応答を出願代行システムへ送信せず、出願代行システムは、この応答を受信しない限りは受験者の受験先機関に対する出願料支払の代行を要求するメッセージを決済機関システムへ送信しない。従って、出願先機関は、この出願料支払完了の時点を確認するだけで、この時点を基準として、出願完了の時点を確定することができる。
【発明の効果】
【００１４】
以上のように構成された本発明による受験情報管理方法によると、受験先機関が出願書の他に受験者の出身校が発行する証明書を必須添付書類として要求している場合でも、証明書データを、第三者を経由することなく、証明書を発行する機関のシステムから直接出願先機関システムへ送信できるとともに、出願先機関は受験者の受験先機関に対する出願料支払時点のみを基準として出願完了時点を確定することができる。
【発明を実施するための最良の形態】
【００１５】
以下、図面に基づいて、本発明による受験情報管理方法を実施したコンピュータネットワークの形態を、説明する。
【実施形態１】
【００１６】
（システム構成）
図１は、本発明の第１の実施形態であるコンピュータネットワークの概略構成を示すブロック図である。この図１に示されているように、このコンピュータネットワークは、ネットワークＮを通じて相互にデータ通信可能に接続された出身校システム１（出願代行システムに相当するとともに、予備校システムとの関係では証明書発行システムに相当），予備校システム２（出願代行システムに相当），受験先校システム３（受験先機関システムに相当），決済機関システム４，受験者端末５とから、構成されている。受験者端末５は、受験者であるユーザが使用権限を有するネットワーク接続可能なパーソナルコンピュータ，ＰＤＡ（Personal Digital Assistant）又は携帯電話等の端末である。受験先校システム３は、入学試験を実施する学校（試験を主催する受験先機関に相当）の情報管理のために設置されたコンピュータシステムである。出身校システム１は、受験者が現在在学中若しくは卒業した学校（学校法に基づく国公立校又は学校法人）（受験先校に入学する時点として、以下、「出身校」という）の情報管理のために設置されたコンピュータシステムである。予備校システム２は、受験者が上記「出身校」に在籍しながら通っているか上記「出身校」を卒業した後に通っている受験予備校の情報管理のために設置されたコンピュータシステムである。決算機関システム４は、郵便局や銀行やクレジットカード会社のように、決済業務を行う資格を有している機関（以下、「決済機関」という）の情報管理のために設置されたコンピュータシステムである。
【００１７】
なお、出身校及び受験先校の組合せとしては、高等学校及び大学（若しくは、短大又は専門学校）の組合せが典型例であるが、大学（学部）及び大学院の組合せである場合もあるし、中学及び高等学校（又は高専）の組合せである場合もある。
【００１８】
各コンピュータシステム１〜４は、実際には、１台のコンピュータ，若しくは、ＬＡＮ（Local Area Network）を通じて相互に接続されている複数台のコンピュータから構成されている。但し、ここでは、本実施形態において必要な機能のみを説明するために、夫々、１台のサーバ（コンピュータ可読記憶媒体に格納されているプログラムに従って処理を実行するコンピュータ）１１，２１，３１，４１，コンソール（サーバに対してデータやコマンドを入力するためのコンピュータ）１２，２２，３２，及び、いくつかのデータベース（何れかのコンピュータに接続されたハードディスクに格納されているデータベース）１３〜１６，２３，２４，２６，３２から、構成されているものとして、説明する。以下、各システム１〜３のデータベース１３〜１６，２３，２４，２６，３２に格納されるデータの内容を、図２乃至図９の表を参照して説明してから、各システム１〜４のサーバ１１，２１，３１，４１の動作を、図１０乃至図１５のフローチャートを参照して説明する。
【００１９】
（データベースの内容）
出身校システム１の学生情報データベース１３には、図２に示す個人情報及び図３に示す出願情報が、格納される。
【００２０】
個人情報は、当該「出身校」に在籍している学生及び卒業生の一人一人について作成されるデータレコードであり、図２に示すように、その学生又は卒業生のＩＤ（学籍番号），ＰＷ（パスワード），名前，ふりがな，性別，生年月日，住所，電話番号，カード種別（決済用に所持しているクレジットカードを発行したクレジットカード会社），カード番号（そのクレジットカードのカード番号），有効期限（そのクレジットカードの有効期限）が、記録されている。この個人情報を格納している学生情報データベース１３が、個人情報記憶手段に相当する。
【００２１】
出願情報は、当該「出身校」に在籍している学生が出願先校に出願する毎に作成されるデータレコードであり、夫々、その学生又は卒業生のＩＤ（学籍番号），ＰＷ（パスワード），名前，出願した受験先校の情報（大学），その受験先校へ内申書を送付済みであるか否か（内申書），その受験先校へ出願書を送付済みであるか否か（出願書），その受験先校に対する検定料の納付手続きを完了しているか否か（検定料）が、記録されている。
【００２２】
出身校システム１の学生成績データベース１４には、図４に示す学校成績情報及び図５に示す試験成績情報が、格納される。
【００２３】
学校成績情報は、当該「出身校」に在籍している学生及び卒業生の一人一人について作成されるデータレコードであり、図４に示すように、その学生のＩＤ（学籍番号），ＰＷ（パスワード），名前，ふりがな，各履修科目毎の定期試験結果が、記録されている。
【００２４】
試験成績情報は、当該「出身校」に在籍している学生及び卒業生の一人一人について作成されるデータレコードであり、図５に示すように、その学生のＩＤ（学籍番号），ＰＷ（パスワード），名前，ふりがな，各回の模擬試験における各受験科目毎の取得点数が、記録されている。
【００２５】
出身校システム１の内申書データベース１５には、図６に示す内申書情報が、格納される。
【００２６】
内申書情報は、当該「出身校」に在籍している学生及び卒業者の一人一人について作成されるデータレコードであり、図６に示すように、その学生又は卒業者のＩＤ（学籍番号），ＰＷ（パスワード），名前，ふりがな，各履修科目毎の各学期毎の評価点が、記録されている。この内申書情報が、証明対象情報に相当し、この内申書情報を格納している内申書データベース１５が、証明対象情報記憶手段に相当する。
【００２７】
出身校システム１の受験情報管理データベース１６には、図７に示す募集要項及び図８に示す難易度情報が、格納される。
【００２８】
募集要項は、当該受験情報管理方法を用いて出願可能な各受験先校の各学部の各学科毎に作成されるデータレコードであり、図７に示すように、その受験先校・学部・学科のＩＤ（学校コード），名前（受験先校名），学部（学部名），学科（学科名），出願期間，試験日，合格発表日，入学手続き締切日，検定料が、記録されている。
【００２９】
難易度情報は、当該受験情報管理方法を用いて出願可能な各受験先校の各学部の各学科毎に作成されるデータレコードであり、図８に示すように、その受験先校・学部・学科のＩＤ（学校コード），名前（受験先校名），学部（学部名），学科（学科名），各受験科目毎の偏差値が、記録されている。
【００３０】
予備校システム２の学生情報データベース２３には、図２に示す個人情報及び図３に示す出願情報が、格納される。
【００３１】
個人情報は、当該予備校に通っている学生の一人一人について作成されるデータレコードであり、図２に示したのと同じデータ構造を有している。なお、この学生情報データベース２３に格納されている個人情報には、その個人情報が示す学生の出身校も、記録されている。
【００３２】
出願情報は、当該予備校に通っている学生が出願先校に出願する毎に作成されるデータレコードであり、図３に示したのと同じデータ構造を有している。
【００３３】
予備校システム２の学生成績データベース１４には、図５に示す試験成績情報が、格納される。
【００３４】
試験成績情報は、当該予備校に通っている学生の一人一人について作成されるデータレコードであり、図５に示したのと同じデータ構造を有している。
【００３５】
予備校システム２の受験情報管理データベース１５には、図７に示す募集要項及び図８に示す難易度情報が、格納される。
【００３６】
受験先校システム３の出願管理データベース３２には、図９に示すように、その出願先校に出願した受験者毎に、その受験番号，学生情報，合否情報（合格又は不合格）及び入金情報（入金手続きが済んでいるか否か）が、互いに関連付けて記録されている。
【００３７】
（出身校システムを通じた出願時の動作）
以下、出身校システム１のサーバ１１（以下、「出身校システムサーバ１１」という）が実行する処理を、関連する受験先校システム３のサーバ３１（以下、「受験先校システムサーバ３１」という）の処理，及び、決済機関システム４のサーバ４１（以下、「決済機関システムサーバ４１」という）の処理とともに、説明する。
【００３８】
出身校システムサーバ１１は、図１０の処理を起動後、最初のＳ００１において、イベントの発生を待つ。
【００３９】
そして、各データベース１３〜１６への情報登録を要求するコマンドを当該「出身校」の教師又は事務職員が操作するコンソール１２から受信した場合には、出身校システムサーバ１１は、Ｓ００２において、コンソール１２から受信したコマンドに添付されたデータレコード，若しくは、当該コマンドにおいて指定された場所に存在するデータレコードを、当該コマンドにおいて指定されたデータベース１３〜１６に登録する。
【００４０】
具体的には、出身校システムサーバ１１は、新規学生の個人情報の登録を要求するコマンドを受信した場合には、各学生毎に、一意のＩＤ及びパスワードの組合せを発行して、その学生に親展通知するための処理を実行するとともに、その学生の個人情報（名前、ふりがな、性別、成年月日、住所、電話番号、カード種別、カード番号、有効期限）を、学生情報データベース１３に登録する。また、出身校システムサーバ１１は、各学生の学校成績情報の登録を要求するコマンドを受信した場合には、各学生毎に、学校成績情報を学生成績データベース１４に登録する。若しくは、学生成績データベース１４に登録されている学校成績情報を更新する。また、出身校システムサーバ１１は、各学生の試験成績情報の登録を要求するコマンドを受信した場合には、各学生毎に、試験成績情報を学生成績データベース１４に登録する。若しくは、学生成績データベース１４に登録されている試験成績情報を更新する。また、出身校システムサーバ１１は、各学生の内申書情報の登録を要求するコマンドを受信した場合には、各学生毎に、内申書情報を内申書データベース１５に登録する。若しくは、内申書データベース１５に登録されている内申書情報を更新する。また、出身校システムサーバ１１は、何れかの大学の募集要項の登録を要求するコマンドを受信した場合には、その募集要項を受験情報管理データベース１６に登録する。また、出身校システムサーバ１１は、何れかの大学の難易度情報の登録を要求するコマンドを受信した場合には、その難易度情報を受験情報管理データベース１６に登録する。
【００４１】
一方、後述するように、予備校システム２のサーバ２１（以下、「予備校システムサーバ２１」という）から内申書の送信依頼メッセージ（Ｓ３１０）を受信した場合には、出身校システムサーバ１１は、Ｓ０１５において、そのメッセージにて指定された学生又は卒業生の内申書情報を内申書データベース１５から読み出して、読み出した内申書情報に基づいて内申書（証明書）のデータを精製し、そのメッセージにて指定された受験先校の受験先校システムサーバ３１へ当該内申書データを送信する（この内申書情報の送信は、送信相手である受験先校システムサーバ３１においてのみ復号化できる所定の暗号化処理を施した上でなされる）。
【００４２】
一方、受験者端末５から閲覧要求メッセージを受信した場合には、出身校システムサーバ１１は、Ｓ００３において、認証処理を実行する。具体的には、出身校システムサーバ１１は、メッセージ送信元の受験者端末５に対して、ＩＤ及びパスワードを要求するメッセージを送信する。このメッセージに応じて、受験者端末５を操作する受験者が自己のＩＤ及びパスワードを当該受験者端末５に入力して出身校システムサーバ１１へ送信してくると、出身校システムサーバ１１は、受信したＩＤ及びパスワードの組合せを記録した個人情報を、学生情報データベース１３内で探索する。その探索の結果、そのような個人情報が無かった場合には、出身校システムサーバ１１は、受験者端末５の操作者が何れの学生でもないと判断して、処理を中断する。これに対して、そのような個人情報が在った場合には、出身校システムサーバ１１は、受験者端末５を操作する受験者がどの学生であるかを認識して、処理をＳ００４へ進める。
【００４３】
Ｓ００４では、出身校システムサーバ１１は、上記閲覧メッセージにおいて指定された検索条件を満たす受験先校の募集要項を受験情報管理データベース１６から抽出する。この検索条件としては、例えば、校名そのものと指定しても良いし、試験日の範囲で指定しても良い。
【００４４】
次のＳ００５では、出身校システムサーバ１１は、Ｓ００３にて認識した受験者についての試験成績情報を学生成績データベース１４から抽出する。
【００４５】
次のＳ００６では、出身校システムサーバ１１は、Ｓ００３にて認識した受験者の偏差値及び当該受験者のＳ００４にて抽出した受験先校に対する合否判定情報を、算出する。
【００４６】
具体的には、出身校システムサーバ１１は、学生成績データベース１４から、全卒業生に関する試験成績情報を読み出して、各受験科目毎の得点の平均を算出し、各受験科目毎に、平均得点とＳ００５にて抽出した試験成績情報中の得点とを比較することによって、偏差値を算出する（更に、その平均として総合偏差値を算出する）。図１６は、このようにして算出した偏差値を表示するための表のフォーマットを示す。
【００４７】
また、出身校システムサーバ１１は、Ｓ００４にて抽出した受験先校に合格した卒業生についての学校成績情報，試験成績情報及び内申書情報を学生成績データベース１４及び内申書データベース１５から読み出し、その平均を算出する。一方、出身校システムサーバ１１は、Ｓ００３にて認識した受験者についての学校成績情報，試験成績情報及び内申書情報を学生成績データベース１４及び内申書データベース１５から読み出して、夫々、上記平均と比較する。その比較結果に基づいて、出身校システムサーバ１１は、合格率を算出するのである。図１７は、このようにして算出した合格率を表示するための表のフォーマットを示す。
【００４８】
次のＳ００７では、Ｓ００４にて抽出した募集要項にＳ００６にて算出した合格率をマージして示す表を、図１６の表及び図１７の表とともにディスプレイ上に表示させるための画面データを生成する。そして、この画面データを、リクエスト元の受験者端末５へ送信する。図１８に示すように、募集要項に合格率をマージして示す表には、その表によって情報が提示されている受験先校に出願するために操作される「応募」ボタンが添えられている。そして、この画面データには、この「応募」ボタンが操作された場合に「応募」ボタンが添えられている表が提示する受験先校に対する出願代行を要求する旨のメッセージを、受験者端末５から出身校システムサーバ１１へ送信させるの設定（タグ）が、組み込まれている。
【００４９】
次のＳ００８では、出身校システムサーバ１１は、Ｓ００７にて送信した画面データに応じて受験者端末５から上記メッセージ（受験先校に対する出願代行を要求する旨のメッセージ）が送信されて来るのを待つ。そして、所定の期間内にメッセージが送られて来ない場合には、Ｓ００８は、処理をＳ００１へ戻す。これに対して、所定の期間内にメッセージが送られて来た場合には、出身校システムサーバ１１は、処理をＳ００８からＳ００９へ進める。
【００５０】
Ｓ００９では、出身校システムサーバ１１は、Ｓ００３にて認識した受験者についての個人情報及び内申書情報を、学生情報データベース１３及び内申書データベース１５から夫々抽出する。
【００５１】
次のＳ０１０では、出身校システムサーバ１１は、Ｓ００９にて抽出した個人情報に基づいて上記受験先校に対する出願書のデータを生成するとともに、Ｓ００９にて抽出した内申書情報に基づいて証明書（内申書）のデータを生成する。そして、出身校システムサーバ１１は、生成した出願書のデータ及び証明書（内申書）のデータを、上記受験先校の受験先校システムサーバ３１へ送信する。Ｓ０１０を完了すると、出身校システムサーバ１１は、次のＳ０１１において、受験先校システムサーバ３１からＡＣＫ（受信確認情報の応答）（Ｓ１０２）が送信されて来るのを待つ。
【００５２】
一方、出願書のデータ（Ｓ０１０，３１１）を受信した受験先校システムサーバ３１は、図１１に示す処理をスタートする。そして、スタート後最初のＳ１０１では、受験先校システムサーバ３１は、出願書データが示す受験者について、証明書（内申書）のデータも受信しているか否かをチェックする。そして、未だ受信していなければ、証明書（内申書）のデータ（Ｓ０１５）が送信されて来るのを待ち、受信していると、処理をＳ１０２へ進める。
【００５３】
Ｓ１０２では、受験先校システムサーバ３１は、出願書データの送信元システムサーバへ、ＡＣＫを返信する。Ｓ１０２を完了すると、受験先校システムサーバ３１は、次のＳ１０３において、決済機関システムサーバ４１から検定料入金通知（Ｓ２０３）が送信されて来るのを待つ。
【００５４】
図１０に戻り、ＡＣＫ（Ｓ１０２）を受信すると、出身校システムサーバ１１は、処理をＳ０１１からＳ０１２へ進め、Ｓ００９にて取得した個人情報が示す決済機関（カード種別が示すクレジットカード会社）の決済機関システムサーバ４１へ、検定料払込情報（Ｓ００４にて取得した募集要項中の「名前」が示す受験先校の銀行口座へ、同募集要項中の「検定料」が示す金銭を振り込み、Ｓ００９にて取得した個人情報中の「カード番号」が示す受験者の銀行口座から引き落とす旨の、個人情報中の「有効期限」及び「名前」を指定した情報）（出願料支払の代行を要求するメッセージ）を、送信する。Ｓ０１２を完了すると、出身校システムサーバ１１は、次のＳ０１３において、決済機関システムサーバ４１から検定料入金通知（Ｓ２０３）が送信されて来るのを待つ。
【００５５】
一方、検定料払込情報（Ｓ１０２）を受信した決済機関システムサーバ４１は、図１２に示す処理をスタートする。そして、スタート後最初のＳ２０１では、受信した検定料払込情報に従い、決済処理（受験先校の銀行口座へ指定された金銭を振り込む処理）を実行する。
【００５６】
次のＳ２０２では、決済機関システムサーバ４１は、Ｓ２０１での決済処理が成功したか否かをチェックする。そして、決済処理が成功すると、決済機関システムサーバ４１は、Ｓ２０３において、検定料入金通知（検定料を受験先校の銀行口座へ振り込んだ旨の通知）を、検定料払込情報にて指定された受験先校の受験先校システムサーバ３１，検定料払込情報送信元システム１１（１２）及び受検者端末５へ、送信する。Ｓ２０３を完了すると、決済機関システムサーバ４１は、図１２の処理を終了する。
【００５７】
図１０に戻り、検定料入金通知（Ｓ２０３）を受信すると、出身校システムサーバ１１は、処理をＳ０１３からＳ０１４へ進め、Ｓ００３にて認証した受験者及びＳ０１０にて出願書データ及び証明書（内申書）のデータを送信した出願先校について、「内申書」を“送付済み”、「出願書」を“送付済み”、「検定料」を“支払済み”とした出願情報（図３）を、学生情報データベース１３に格納する。出願した受験者本人は、自己のＩＤ及びパスワードを出身校システムサーバ１１へ送信することにより、出願情報の内容を閲覧することができる。Ｓ０１４を完了すると、出身校システムサーバ１１は、図１０に示す処理を終了する。
【００５８】
図１１に戻り、検定料入金通知（Ｓ２０３）を受信すると、受験先校システムサーバ３１は、処理をＳ１０３からＳ１０４へ進め、一意の受験者番号を生成し、この受験者番頭と処理起動時に受信した出願書データ中の受験者情報とを関連付けて、出願管理データベース３２（図９）に格納する。即ち、この段階において、受験先校システムサーバ３１は、出願が有効になされたものとして出願完了時点を確定するのである。
【００５９】
次のＳ１０５では、受験先校システムサーバ３１は、この受験情報によって示される受験者へ図１９に示す受験票を送付するための処理を実行する。Ｓ１０５を完了すると、受験先校システムサーバ３１は、図１１の処理を終了する。
【００６０】
（予備校システムを通じた出願時の動作）
以下、予備校システム２のサーバ２１（以下、「予備校システムサーバ２１」という）が実行する処理を、関連する受験先校システムサーバ３１の処理，決済機関システムサーバ４１の処理及び出身校システムサーバ１１の処理とともに、説明する。
【００６１】
予備校システムサーバ２１は、図１３の処理を起動後、最初のＳ３０１において、イベントの発生を待つ。
【００６２】
そして、各データベース２３，２４，２６への情報登録を要求するコマンドを当該予備校の講師又は事務職員が操作するコンソール２２から受信した場合には、予備校システムサーバ２１は、Ｓ３０２において、コンソール２２から受信したコマンドに添付されたデータレコード，若しくは、当該コマンドにおいて指定された場所に存在するデータレコードを、当該コマンドにおいて指定されたデータベース２３，２４，２６に登録する。
【００６３】
具体的には、予備校システムサーバ２１は、新規学生の個人情報の登録を要求するコマンドを受信した場合には、各学生毎に、一意のＩＤ及びパスワードの組合せを発行して、その学生に親展通知するための処理を実行するとともに、その学生の個人情報（名前、ふりがな、性別、成年月日、住所、電話番号、カード種別、カード番号、有効期限、出身校）を、学生情報データベース２３に登録する。また、予備校システムサーバ２１は、各学生の試験成績情報の登録を要求するコマンドを受信した場合には、各学生毎に、試験成績情報を学生成績データベース２４に登録する。若しくは、学生成績データベース２４に登録されている試験成績情報を更新する。また、予備校システムサーバ２１は、何れかの大学の募集要項の登録を要求するコマンドを受信した場合には、その募集要項を受験情報管理データベース２６に登録する。また、予備校システムサーバ２１は、何れかの大学の難易度情報の登録を要求するコマンドを受信した場合には、その難易度情報を受験情報管理データベース２６に登録する。
【００６４】
一方、受験者端末５から閲覧要求メッセージを受信した場合には、予備校システムサーバ２１は、Ｓ３０３において、認証処理を実行する。受験者端末５を操作する受験者がどの学生であるかを認識できた場合に実行されるＳ３０４では、予備校システムサーバ２１は、上記閲覧メッセージにおいて指定された検索条件を満たす受験先校の募集要項を受験情報管理データベース２６から抽出する。
【００６５】
次のＳ３０５では、予備校システムサーバ２１は、Ｓ３０３にて認識した受験者についての試験成績情報を学生成績データベース２４から抽出する。
【００６６】
次のＳ３０６では、予備校システムサーバ２１は、Ｓ３０３にて認識した受験者の偏差値及びＳ３０４にて抽出した受験先校に関する合否判定情報を算出する。
【００６７】
次のＳ３０７では、Ｓ３０４にて抽出した募集要項にＳ３０６にて算出した合格率をマージして示す表を、図１６の表及び図１７の表とともにディスプレイ上に表示させるための画面データを生成する。そして、この画面データを、リクエスト元の受験者端末５へ送信する。
【００６８】
次のＳ３０８では、予備校システムサーバ２１は、Ｓ３０７にて送信した画面データに応じて受験者端末５からメッセージ（受験先校に対する出願代行を要求する旨のメッセージ）が送信されて来るのを待つ。そして、所定の期間内にメッセージが送られて来ない場合には、Ｓ３０８は、処理をＳ３０１へ戻す。これに対して、所定の期間内にメッセージが送られて来た場合には、予備校システムサーバ２１は、処理をＳ３０８からＳ３０９へ進める。
【００６９】
Ｓ３０９では、予備校システムサーバ２１は、Ｓ３０３にて認識した受験者についての個人情報を、学生情報データベース２３から抽出する。
【００７０】
次のＳ３１０では、予備校システムサーバ２１は、Ｓ３０９にて抽出した個人情報中で示されている出身校へ、Ｓ３０３にて認識した受験者についての証明書（内申書）を上記受験先校へ送信する旨の依頼メッセージを送信する。この送信依頼メッセージを受信した出身校システムサーバ１１は、上述したように、図１０のＳ０１５において、そのメッセージにて指定された学生又は卒業生の内申書情報を内申書データベース１５から読み出して、読み出した内申書情報に基づいて内申書（証明書）のデータを生成し、そのメッセージにて指定された受験先校の受験先校システムサーバ３１へ当該内申書データを送信する。
【００７１】
次のＳ３１１では、予備校システムサーバ２１は、Ｓ３０９にて抽出した個人情報に基づいて上記受験先校に対する出願書のデータを生成する。そして、予備校システムサーバ２１は、生成した出願書のデータを、上記受験先校の受験先校システムサーバ３１へ送信する。Ｓ３１１を完了すると、予備校システムサーバ２１は、次のＳ３１２において、受験先校システムサーバ３１からＡＣＫ（受信確認情報の応答）（Ｓ１０２）が送信されて来るのを待つ。
【００７２】
出願書データ（Ｓ３１１）の受信によって図１１のＳ１０１乃至Ｓ１０３の処理を実行した受験先校システムサーバ３１からＡＣＫ（Ｓ１０２）を受信すると、予備校システムサーバ２１は、処理をＳ３１２からＳ３１３へ進め、Ｓ３０９にて取得した個人情報が示す決済機関（カード種別が示すクレジットカード会社）の決済機関システムサーバ４１へ、検定料払込情報（Ｓ３０４にて取得した募集要項中の「名前」が示す受験先校の銀行口座へ、同募集要項中の「検定料」が示す金銭を振り込み、Ｓ３０９にて取得した個人情報中の「カード番号」が示す受験者の銀行口座から引き落とす旨の、個人情報中の「有効期限」及び「名前」を指定した情報）（出願料支払代行を要求するメッセージ）を、送信する。Ｓ３１３を完了すると、予備校システムサーバ２１は、次のＳ３１４において、決済機関システムサーバ４１から検定料入金通知（Ｓ２０３）が送信されて来るのを待つ。
【００７３】
検定料払込情報（Ｓ３１３）を受信することによって図１２のＳ２０１乃至Ｓ２０３の処理の実行した決済機関システムサーバ４１から検定料入金情報（Ｓ２０３）を受信した受験先校システムサーバ３１は、図１１のＳ１０３乃至Ｓ１０５の処理を実行する。同じく検定料入金情報（Ｓ２０３）を受信した予備校システムサーバ２１は、処理をＳ３１４からＳ３１５へ進め、Ｓ３０３にて認証した受験者及びＳ３１１にて出願書データを送信した出願先校について、「内申書」を“送付済み”、「出願書」を“送付済み”、「検定料」を“支払済み”とした出願情報（図３）を、学生情報データベース２３に格納する。出願した受験者本人は、自己のＩＤ及びパスワードを予備校システムサーバ２１へ送信することにより、出願情報の内容を閲覧することができる。Ｓ３１５を完了すると、予備校システムサーバ２１は、図１０に示す処理を終了する。
【００７４】
（合格発表時の動作）
受験先校において入学試験を実施した後に、合否決定が行われると、受験先校の担当者が、コンソール３２を操作することによって各受験者（受験番号）毎の合否情報を入力する。すると、受験先校システムサーバ３１が、図１４の処理をスタートする。スタート後最初のＳ４０１では、受験先校システムサーバ３１は、コンソール３２から入力された各受験者（受験番号）毎の合否情報を、夫々の受験番号に対応付けて出願管理データベース３２に登録する。Ｓ４０１を完了すると、受験先校システムサーバ３１は、Ｓ４０２乃至Ｓ４０７のループ処理を実行する。
【００７５】
このループ処理に入って最初のＳ４０２では、受験先校システムサーバ３１は、何れかの受験者端末５からの合否結果要求がキューイングされているか否かをチェックする。そして、合否結果要求がキューイングされていない場合には、処理をＳ４０４へ進める。これに対して、合否結果要求がキューイングされている場合には、処理をＳ４０３へ進める。
【００７６】
Ｓ４０３では、受験先校システムサーバ３１は、先頭にキューイングされている合否結果要求に関し、要求元受験者端末５との間で認証処理を実行した上で、この要求元受験者端末５を操作している受験者についての合否情報を出願管理データベース３２から読み出し、その合否情報（合格又は不合格）を記述した画面データを要求元受験端末５送信する。図２０は、合否情報が“合格”である場合に、当該画面データによって受験者端末５のディスプレイ上に表示される画面を示す。この図２０に示すように、合否情報が“合格”である場合には、画面中に「入金」ボタンが含まれている。そして、この画面を表示させる画面データには、この「入金」ボタンが操作された場合には決済機関システムサーバ４１に対して入学金納付のための決済処理（画面データ送信元受験先校の銀行口座へ所定金額を振り込む処理）を要求するメッセージを送信させる設定（タグ）が、組み込まれている。Ｓ４０３を完了すると、受験先校システムサーバ３１は、処理をＳ４０４へ進める。
【００７７】
一方、何れかの受験者端末５から決済処理要求メッセージを受信した決済機関システムサーバ４１は、図１５の処理をスタートする。そして、スタート後最初のＳ５０１では、決済機関システムサーバ４１は、決済処理を実行する。具体的には、決済機関システムサーバ４１は、メッセージ送信元受験者端末５に対して、自己が発行会社となっているクレジットカードのカード番号，有効期限，当該受験者端末５の操作者の住所氏名等の個人識別情報の送信を要求するテキストデータを送信する。この要求に応じて当該受験者端末５から必要情報が送信されて来ると、決済機関システムサーバ４１は、その真実性を調べ、真実であると判断した時には、メッセージ内において指定された受験先校の銀行口座へ、同メッセージ内で指定された金銭を振り込み、上記カード番号が示す受験者の銀行口座から引き落とすための処理を実行する。
【００７８】
次のＳ５０２では、決済機関システムサーバ４１は、Ｓ５０１での決済処理が成功したか否かをチェックする。そして、決済処理が成功すると、決済機関システムサーバ４１は、Ｓ５０３において、入金通知（上記受験者によって入学金が受験先校の銀行口座へ振り込まれた旨の通知）を、上記メッセージ内において指定された受験先校の受験先校システムサーバ３１へ送信する。Ｓ５０３を完了すると、決済機関システムサーバ４１は、図１５の処理を終了する。
【００７９】
図１４に戻り、受験先校システムサーバ３１は、Ｓ４０４において、決済機関システムサーバ４１からの入金通知がキューイングされているか否かをチェックする。そして、入金通知がキューイングされていない場合には、処理をＳ４０２に戻す。これに対して、入金通知がキューイングされている場合には、処理をＳ４０５へ進める。
【００８０】
Ｓ４０５では、受験先校システムサーバ３１は、先頭にキューイングされている入金通知について、その入金通知において入金者として示されている受験者の学生情報に関連付けて、“入金済”の旨の入金情報を出願管理データベース３２に登録する。
【００８１】
次のＳ４０６では、受験先校システムサーバ３１は、入金通知を、そのその入金通知において入金者として示されている受験者へ、電子メール等により通知する。Ｓ４０６を完了すると、受験先校システムサーバ３１は、処理をＳ４０２に戻す。以上のＳ４０２乃至Ｓ４０６のループ処理を繰り返し実行することによって、受験先校システムサーバ３１は、受信した全ての合否情報要求及び入金通知に対する処理を行う。
【００８２】
（実施形態の作用効果）
以上に説明した本実施形態の受験情報管理方法によると、出身校システムサーバ１１が受験者端末５から要求に応じて出願書データを受験先校システムサーバ３１への送信する場合には、この出身校システムサーバ１１自体が、自己のシステム内の内申書データベース１５に保持している内申書情報に基づいて、出願書の必須添付書類である証明書（内申書）のデータを、受験先校システムサーバ３１に対して直接送信する。従って、送信に際しての暗号化の防御力如何を問わず、この証明書（内申書）の内容が第三者に見られてしまう危険を抑えることができる。同様に、予備校システムサーバ２１が受験者端末５から要求に応じて出願書データを受験先校システムサーバ３１への送信する場合には、この予備校システムサーバ２１が、その受験者の出身校の出身校システムサーバ１１に対して、証明書（内申書）のデータを受験先校システムサーバ３１へ送信することを依頼する。そして、依頼を受けた出身校システムサーバ１１は、自己のシステム内の内申書データベース１５に保持している内申書情報に基づいて、出願書の必須添付書類である証明書（内申書）のデータを、依頼元の予備校システムサーバ２１を経由することなく、受験先校システムサーバ３１に対して直接送信する。従って、送信に際しての暗号化の防御力如何を問わず、この証明書（内申書）の内容が第三者に見られてしまう危険を抑えることができる。例えば、予備校システムサーバ２１を操作する予備校関係者でさえ、この証明書（内申書）の内容を見ることはできない。これにより、当該受験者のプライバシーが保護されるのである。
【００８３】
また、本実施形態の受験情報システムによると、受験先校システムサーバ３１は、出願書のデータ及び証明書（内申書）のデータの両方が揃って始めて、出願書データ送信元システムサーバ１１，２１に対してＡＣＫを応答する。そして、送信元システム１１，２１は、このＡＣＫを受信して始めて、決済機関システムサーバ４１に対して、検定料払込情報を送信することができるのである。従って、受験先校システムサーバ３１は、この検定料払込情報を受けて決済処理を完了した決済機関システムサーバ４１から検定料入金情報を受信した時点のみを基準として、出願完了時点を確定することができるのである。
【００８４】
（変形例）
本実子形態の受験情報システムにおける受験先校システム３を、各種資格試験を実施する国家又は地方公共団体の機関や民間機関（受験先機関）が運営するものとして、応用しても良い。その場合、出願の対象となる試験は、入学試験ではなく、これら各種資格試験ということになる。
【図面の簡単な説明】
【００８５】
【図１】本発明による受験情報システムの実施の形態であるコンピュータネットワークの概略構成を示すブロック図
【図２】個人情報のデータ構造を示す表
【図３】出願情報のデータ構造を示す表
【図４】学校成績情報のデータ構造を示す表
【図５】試験成績情報のデータ構造を示す表
【図６】内申書情報のデータ構造を示す表
【図７】募集要項のデータ構造を示す表
【図８】難易度情報のデータ構造を示す表
【図９】出願管理データベースのデータ構造を示す表
【図１０】出身校システムサーバの処理内容を示すフローチャート
【図１１】出願書データ受信時における受験先校システムサーバの処理内容を示す
【図１２】検定料払込情報受信時における決済機関システムサーバの処理内容を示すフローチャート
【図１３】予備校システムサーバの処理内容を示すフローチャート
【図１４】合格発表時における受験先校システムサーバの処理内容を示す
【図１５】合格発表時における決済機関システムサーバの処理内容を示す
【図１６】偏差値情報の表示フォーマットを示す表
【図１７】合否判定情報の表示フォーマットを示す表
【図１８】募集要項の表示フォーマットを示す表
【図１９】受験票のイメージを示す図
【図２０】合否情報の表示イメージを示す図
【符号の説明】
【００８６】
１      出身校システム
２      予備校システム
３      受験先校システム
４      決済機関システム
５      受験者端末
１１      出身校システムサーバ
１３      学生情報データベース
１５      内申書データベース
１６      受験情報管理データベース
２１      予備校システムサーバ
２３      学生情報データベース
２６      受験情報管理データベース
３１      受験先校システムサーバ
４１      決済機関システムサーバ
【図１】
2005284761.tif 000003
【図２】
2005284761.tif 000004
【図３】
2005284761.tif 000005
【図４】
2005284761.tif 000006
【図５】
2005284761.tif 000007
【図６】
2005284761.tif 000008
【図７】
2005284761.tif 000009
【図８】
2005284761.tif 000010
【図９】
2005284761.tif 000011
【図１０】
2005284761.tif 000012
【図１１】
2005284761.tif 000013
【図１２】
2005284761.tif 000014
【図１３】
2005284761.tif 000015
【図１４】
2005284761.tif 000016
【図１５】
2005284761.tif 000017
【図１６】
2005284761.tif 000018
【図１７】
2005284761.tif 000019
【図１８】
2005284761.tif 000020
【図１９】
2005284761.tif 000021
【図２０】
2005284761.tif 000022